(57)【特許請求の範囲】
【請求項１】
第１の光ファイバ心線束と、前記第１の光ファイバ心線束の外周を被覆し、ケーブル長手方向に沿って抗張力体が埋設された外皮と、を有する光ファイバケーブルと、
前記外皮の端部から延出する前記第１の光ファイバ心線束を複数の第２の光ファイバ心線束に分岐する光ファイバケーブル分岐部材と、
前記光ファイバケーブル分岐部材で分岐された前記複数の第２の光ファイバ心線束と、
前記複数の第２の光ファイバ心線束のそれぞれの外周をそれぞれ覆って保護する複数の保護チューブと、を備え、
前記光ファイバケーブル分岐部材は、
分岐部材本体と、
前記光ファイバケーブルの前記外皮の端部を前記分岐部材本体に対して把持固定するケーブル固定部と、
前記第１の光ファイバ心線束を分岐して得られる前記複数の第２の光ファイバ心線束を保護する前記複数の保護チューブを前記分岐部材本体に対して固定するチューブ固定部と、
前記分岐部材本体を被取付物に対して固定する本体固定部と、
を備え、
前記光ファイバケーブルの前記抗張力体は、導電体で構成され、
前記光ファイバケーブル分岐部材に固定された前記光ファイバケーブルの前記外皮の端部から前記抗張力体が延出され、
前記抗張力体は、電気的に接地され、
延出された前記抗張力体は、前記光ファイバケーブル分岐部材の前記分岐部材本体と、前記被取付物との間に挟持されることにより、前記被取付物と電気的に接続される
ことを特徴とする光ファイバケーブル分岐構造。
【請求項２】
前記分岐部材本体は、接地線に接続された導電体に固定される第１部材と、前記第１部材に接合される第２部材と、前記第１部材及び前記第２部材とを接合する接合部と、を備え、
前記接合部は、前記光ファイバケーブルから延出した光ファイバ心線が分岐されてなり、前記保護チューブで保護される前記第２の光ファイバ心線束の配置位置を避けた位置に配置されている請求項１に記載の光ファイバケーブル分岐構造。
【請求項３】
前記ケーブル固定部と前記チューブ固定部との間に、露出した光ファイバ心線が配置される露出配置領域が設けられている請求項１または２に記載の光ファイバケーブル分岐構造。
【請求項４】
前記チューブ固定部は、前記複数の保護チューブを振り分ける振分部を備える請求項１から３のうちのいずれか１項に記載の光ファイバケーブル分岐構造。
【請求項５】
第１の光ファイバ心線束と、前記第１の光ファイバ心線束の外周を被覆し、ケーブル長手方向に沿って抗張力体が埋設された外皮と、を有する光ファイバケーブルと、
前記外皮の端部から延出する前記第１の光ファイバ心線束を複数の第２の光ファイバ心線束に分岐する光ファイバケーブル分岐部材と、
前記光ファイバケーブル分岐部材で分岐された前記複数の第２の光ファイバ心線束と、
前記複数の第２の光ファイバ心線束のそれぞれの外周をそれぞれ覆って保護する複数の保護チューブと、を備え、
前記光ファイバケーブル分岐部材は、
分岐部材本体と、
前記光ファイバケーブルの前記外皮の端部を前記分岐部材本体に対して把持固定するケーブル固定部と、
前記第１の光ファイバ心線束を分岐して得られる前記複数の第２の光ファイバ心線束を保護する前記複数の保護チューブを前記分岐部材本体に対して固定するチューブ固定部と、
前記分岐部材本体を被取付物に対して固定する本体固定部と、
を備え、
前記光ファイバケーブルの前記抗張力体は、導電体で構成され、
前記光ファイバケーブル分岐部材に固定された前記光ファイバケーブルの前記外皮の端部から前記抗張力体が延出され、
前記抗張力体は、電気的に接地され、
前記チューブ固定部は、前記複数の保護チューブを結束する結束バンドと、前記結束バンドが挿通可能である複数の取付孔と、を備えることを特徴とする光ファイバケーブル分岐構造。
【請求項６】
前記ケーブル固定部と前記チューブ固定部との間に、光ファイバ心線を保護する保護部が設けられている請求項１から５のうちのいずれか１項に記載の光ファイバケーブル分岐構造。
【請求項７】
第１の光ファイバ心線束と、前記第１の光ファイバ心線束の外周を被覆し、ケーブル長手方向に沿って抗張力体が埋設された外皮と、を有する光ファイバケーブルと、
前記外皮の端部から延出する前記第１の光ファイバ心線束を複数の第２の光ファイバ心線束に分岐する光ファイバケーブル分岐部材と、
前記光ファイバケーブル分岐部材で分岐された前記複数の第２の光ファイバ心線束と、
前記複数の第２の光ファイバ心線束のそれぞれの外周をそれぞれ覆って保護する複数の保護チューブと、を備え、
前記光ファイバケーブル分岐部材は、
分岐部材本体と、
前記光ファイバケーブルの前記外皮の端部を前記分岐部材本体に対して把持固定するケーブル固定部と、
前記第１の光ファイバ心線束を分岐して得られる前記複数の第２の光ファイバ心線束を保護する前記複数の保護チューブを前記分岐部材本体に対して固定するチューブ固定部と、
前記分岐部材本体を被取付物に対して固定する本体固定部と、
を備え、
前記光ファイバケーブルの前記抗張力体は、導電体で構成され、
前記光ファイバケーブル分岐部材に固定された前記光ファイバケーブルの前記外皮の端部から前記抗張力体が延出され、
前記抗張力体は、電気的に接地され、
前記抗張力体を保持する保持部を備え、
前記保持部は、クロージャに設けられた金属部材に取り付けられていることを特徴とする光ファイバケーブル分岐構造。
【発明の詳細な説明】
【技術分野】
【０００１】
本開示は、光ファイバケーブル分岐構造に関する。
【背景技術】
【０００２】
例えば、光ファイバケーブルから延出する複数の光ファイバは、クロージャや融着部収納トレーで他の光ファイバなどに接続される。光ファイバケーブルでは、外皮に多数の光ファイバが収容されている。このため、多数の光ファイバを他の光ファイバになどに接続するために、光ファイバケーブルをクロージャや融着部収納トレーの近傍まで敷設し、その近傍で光ファイバケーブルから延出する光ファイバを分岐することがある。
【０００３】
複数の光ファイバを分岐する光ファイバケーブル分岐部材として、従来、光ファイバケーブルから延出する複数の光ファイバを分岐して中空管に挿入する分岐ケースを備えるものがある（例えば、特許文献１参照）。この分岐ケースは、取入口において、光ファイバケーブルを固定している。
【先行技術文献】
【特許文献】
【０００４】
【特許文献１】米国特許出願公開第２０１５／０２９５３９４号明細書
【発明の概要】
【発明が解決しようとする課題】
【０００５】
上記特許文献１に開示された分岐ケースにおいて固定される光ファイバケーブルには、光ファイバに張力を与えないために抗張力体が設けられている。この抗張力体は、外皮の内周面に沿って配置されているため、光ファイバケーブルを固定することによって、抗張力体も固定される。
【０００６】
しかし、光ファイバケーブルのうち、例えばラッピングチューブケーブル（ＷＴＣ）は、外皮内にケーブル長手方向に沿って配置固定された抗張力体を備えている。このラッピングチューブケーブルでは、ケーブルを固定したとしても、抗張力体を固定することができなかった。このため、ラッピングチューブケーブルを固定したとしても、抗張力体が不安定な状態となる場合がある。
【０００７】
また、上記の光ファイバケーブル分岐部材は、クロージャなどの被取付物に取り付けられる。ところが、光ファイバケーブル分岐部材の取付態様がさまざまであることから、光ファイバケーブル分岐部材の取付に手間がかかることがあった。
【０００８】
本発明の幾つかの実施形態が解決しようとする課題は、クロージャなどの被取付物に容易に固定することができる光ファイバケーブル分岐部材及び光ファイバケーブル分岐構造を提供することである。
【課題を解決するための手段】
【０００９】
本発明の幾つかの実施形態に係る光ファイバケーブル分岐部材は、分岐部材本体と、第１の光ファイバ心線束と、前記第１の光ファイバ心線束の外周を被覆し、ケーブル長手方向に沿って抗張力体が埋設された外皮と、を有する光ファイバケーブルの前記外皮の端部を前記分岐部材本体に対して把持固定するケーブル固定部と、前記外皮の端部から延出する第１の光ファイバ心線束を分岐して得られる複数の第２の光ファイバ心線束のそれぞれの外周をそれぞれ覆って保護する複数の保護チューブを前記分岐部材本体に対して固定するチューブ固定部と、前記分岐部材本体を被取付物に対して固定する本体固定部と、を備えることを特徴とする。
【００１０】
上記の構成によれば、分岐部本体には、ケーブル固定部が設けられており、ケーブル固定部は、前記第１の光ファイバ心線束の外周を被覆し、ケーブル長手方向に沿って抗張力体が埋設された外皮を把持固定している。このため、外皮とともに抗張力体を固定できる。また、光ファイバケーブル分岐部材は、分岐部材本体を被取付物に対して固定する本体固定部を備えている。このため、クロージャなどの被取付物に容易に固定することができる。
【００１１】
本発明の幾つかの実施形態に係る光ファイバケーブル分岐構造は、第１の光ファイバ心線束と、前記第１の光ファイバ心線束の外周を被覆し、ケーブル長手方向に沿って抗張力体が埋設された外皮と、を有する光ファイバケーブルと、前記外皮の端部から延出する前記第１の光ファイバ心線束を複数の第２の光ファイバ心線束に分岐する光ファイバケーブル分岐部材と、光ファイバケーブル分岐部材で分岐された前記複数の第２の光ファイバ心線束と、前記複数の第２の光ファイバ心線束のそれぞれの外周をそれぞれ覆って保護する複数の保護チューブと、を備え、前記光ファイバケーブル分岐部材は、分岐部材本体と、前記光ファイバケーブルの前記外皮の端部を前記分岐部材本体に対して把持固定するケーブル固定部と、前記第１の光ファイバ心線束を分岐して得られる前記複数の第２の光ファイバ心線束を保護する前記複数の保護チューブを前記分岐部材本体に対して固定するチューブ固定部と、前記分岐部材本体を被取付物に対して固定する本体固定部と、を備えることを特徴とする。
【００１２】
上記の構成によれば、クロージャなどの被取付物に容易に取り付けることができる。
【００１３】
また、前記被取付物は、導電体であって接地線に接続されており、前記光ファイバケーブルの前記抗張力体は、導電体で構成され、前記光ファイバケーブル分岐部材に固定された前記光ファイバケーブルの前記外皮の端部から前記抗張力体が延出され、前記抗張力体は、前記被取付物と電気的に接続されるものでもよい。
【００１４】
上記の構成によれば、抗張力体を接地させるための部材が不要となり、部品点数の削減に寄与できる。
【００１５】
また、延出された前記抗張力体は、前記光ファイバケーブル分岐部材の前記分岐部材本体と、前記被取付物との間に挟持されることにより、前記被取付物と電気的に接続されるものでもよい。
【００１６】
上記の構成によれば、抗張力体が分岐部材本体と、前記被取付物との間に挟持されることで、抗張力体を容易に接地させることができる。
【００１７】
また、前記分岐部材本体は、接地線に接続された導電体に固定される第１部材と、前記第１部材に接合される第２部材と、前記第１部材及び前記第２部材とを接合する接合部と、を備え、前記接合部で接合された前記第１部材及び前記第２部材によって前記抗張力体が保持されているものでもよい。
【００１８】
上記の構成によれば、抗張力体を第１部材と第２部材とによって保持することで、容易に接地させることができる。
【００１９】
また、前記ケーブル固定部と前記チューブ固定部とが、板材に設けられていてもよい。
【００２０】
上記の構成によれば、前記ケーブル固定部と前記チューブ固定部とを一体化することができ、全体としてコンパクト化できる。
【００２１】
また、前記ケーブル固定部は、前記光ファイバケーブルを締付可能な締付バンドが取り付けられるバンド取付部をさらに備えていてもよい。
【００２２】
上記の構成によれば、光ファイバケーブルを容易に固定することができる。
【００２３】
また、前記分岐部材本体は、接地線に接続された導電体に固定される第１部材と、前記第１部材に接合される第２部材と、前記第１部材及び前記第２部材とを接合する接合部と、を備え、前記接合部は、前記光ファイバケーブルから延出した光ファイバ心線が分岐されてなり、前記保護チューブで保護される前記第２の光ファイバ心線束の配置位置を避けた位置に配置されていてもよい。
【００２４】
上記の構成によれば、第２の光ファイバ心線束を保護チューブで保護した後であっても、分岐部材本体と前記被取付物とを接合する際に保護チューブが邪魔になりにくくすることができる。
【００２５】
また、前記ケーブル固定部と前記チューブ固定部との間に、露出した光ファイバ心線が配置される露出配置領域が設けられていてもよい。
【００２６】
上記の構成によれば、前記ケーブル固定部と前記チューブ固定部との間の光ファイバ心線を保護するカバー等が不要であるので、全体の簡素化に寄与することができる。特に、光ファイバケーブル分岐部材をクロージャのケース等に収容する場合には、前記ケーブル固定部と前記チューブ固定部との間の光ファイバ心線が厳しい環境にさらされることは少ないため好適である。
【００２７】
また、前記チューブ固定部は、前記複数の保護チューブを振り分ける振分部を備えていてもよい。
【００２８】
上記の構成によれば、複数の保護チューブを容易に振り分けることができる。
【００２９】
また、前記チューブ固定部は、前記複数の保護チューブを結束する結束バンドと、前記結束バンドが挿通可能である複数の取付孔と、を備えていてもよい。
【００３０】
上記の構成によれば、結束バンドで結束される保護チューブの数によらず、結束バンドをチューブ固定部に容易に取り付けることができる。
【００３１】
また、前記ケーブル固定部と前記チューブ固定部との間に、光ファイバ心線を保護する保護部が設けられていてもよい。
【００３２】
上記の構成によれば、光ファイバケーブル分岐部材をクロージャのケースなどの外側に設ける場合でも、前記ケーブル固定部と前記チューブ固定部との間における光ファイバ心線の損傷を抑制することができる。
【００３３】
また、前記抗張力体を保持する保持部を備え、前記保持部は、クロージャに設けられた金属部材に取り付けられていてもよい。
【００３４】
上記の構成によれば、光ファイバケーブル分岐部材をクロージャに容易に取り付けることができる。
【発明の効果】
【００３５】
本発明の幾つかの実施形態に係る光ファイバケーブル分岐部材及び光ファイバケーブル分岐構造によれば、クロージャなどの被取付物に容易に固定することができる。
【図面の簡単な説明】
【００３６】
【図１】本発明の幾つかの実施形態に係る光ファイバケーブル分岐構造の斜視図である。
【図２】本発明の幾つかの実施形態に係る光ファイバケーブル分岐構造を下側から見た斜視図である。
【図３】本発明の幾つかの実施形態に係る光ファイバケーブル分岐部材の分解斜視図である。
【図４】本発明の幾つかの実施形態に係る光ファイバケーブル分岐構造の平面図である。
【図５】ケーブル固定部に光ファイバケーブルを取り付けた状態の断面図である。
【図６】分岐部保護部材で保護された光ファイバケーブル分岐構造の斜視図である。
【図７】光ファイバケーブルの断面図である。
【図８】（Ａ）は、４本の光ファイバを備える間欠固定心線の概略図、（Ｂ）は、１２本の光ファイバを備える間欠固定心線の概略図である。
【図９】（Ａ）は、図８（Ｂ）のＢ−Ｂ線断面図、（Ｂ）は、間欠固定心線を広げた状態を示す図である。
【図１０】光ファイバケーブル分岐構造が取り付けられたクロージャの斜視図である。
【図１１】光ファイバケーブル分岐構造の他の例を示す斜視図である。
【図１２】光ファイバケーブル分岐構造のさらに他の例を示す斜視図である。
【発明を実施するための形態】
【００３７】
次に、本発明の幾つかの実施形態に係る実施形態を図面に基づいて説明する。
図１は、本発明の幾つかの実施形態に係る光ファイバケーブル分岐構造の斜視図、図２は、本発明の幾つかの実施形態に係る光ファイバケーブル分岐構造の分解斜視図である。なお、以下の説明では、発明を理解し易くするために、適宜構成部品の一部を省略したり、形状を単純化したり、縮尺を変更したりする等、図示を簡略化していることがある。また、ＸＹＺ直交座標系を設定して各構成の位置関係を説明する。また、ＸＹＺ直交座標系において、Ｘ方向を左右方向、Ｙ方向を前後方向、Ｚ方向を上下方向として説明する。このため、下方向（Ｚ方向）が、光ファイバの延出方向となる。
【００３８】
図１及び図２に示すように、本発明の幾つかの実施形態に係る光ファイバケーブル分岐構造１は、光ファイバケーブル分岐部材１０と、光ファイバケーブル５０と、保護チューブ６０と、分岐部保護部材９０（図６参照）と、を備えている。また、光ファイバケーブル分岐部材１０は、第１ベース部材２０と、第２ベース部材３０と、ケーブル保持環（締付バンド）４０と、留金７０（図３参照）と、結束バンド８０と、を備えている。
【００３９】
図７に示すように、光ファイバケーブル５０は、複数組、例えば１０数組の光ファイバユニット５１からなる光ファイバユニット束（第１の光ファイバ心線束）５１Ａを備えている。光ファイバユニット５１は、一以上の光ファイバ（光ファイバ心線）５２からなり、複数、例えば１００本程度の光ファイバ５２を備えている。一定数の光ファイバ５２は、図８（Ａ）（Ｂ）に示すように、間欠固定心線５２Ａとなっている。間欠固定心線５２Ａは、テープ状をなしており、光ファイバ５２が一定方向に同ピッチで配置されて構成されている。間欠固定心線５２Ａは、ＳＷＲ（Spider Web Ribbon)と呼ばれ、数本、例えば図８（Ａ）に示すように、４本の光ファイバ５２を備えている。あるいは、図８（Ｂ）に示すように、１２本の光ファイバ５２を備えていてもいし、その他の数の光ファイバ５２を備えていてもよい。
【００４０】
以下、図８（Ｂ）に示す間欠固定心線５２Ａについてさらに説明すると、間欠固定心線５２Ａは、１２本の光ファイバ５２が並べられて形成されている。これらの１２本の光ファイバ５２のうち、隣り合う光ファイバ５２同士が、連結部１１５で連結されている。連結部１１５は、光ファイバ５２の長手方向（ケーブル長手方向）に一定間隔をおいて配置されている。隣り合う光ファイバ５２同士を連結する連結部１１５の位置に対して、隣り合う光ファイバ５２同士の隣で隣り合う光ファイバ５２同士を連結する連結部１１５は、光ファイバ５２の長手方向にずれた位置に配置されている。同様にして、隣り合う光ファイバ５２同士のさらに隣で隣り合う光ファイバ５２同士を連結する連結部１１５は、光ファイバ５２の長手方向にずれた位置に配置されている。こうして、連結部１１５は、幅方向及び長手方向に対して階段状に配置されている。
【００４１】
図８（Ａ）に示す４本の光ファイバ５２を備える間欠固定心線５２Ａにおいても、隣り合う光ファイバ５２同士が、連結部１１５で連結されている。連結部１１５は、光ファイバ５２の長手方向（ケーブル長手方向）に一定間隔をおいて配置されている。このため、図８（Ａ）に示す４本の光ファイバ５２を備える間欠固定心線５２Ａに設けられた連結部１１５は、図８（Ｂ）に示す１２本の光ファイバ５２を備える間欠固定心線５２Ａに設けられた連結部１１５よりも密に配置されている。言い換えると、図８（Ｂ）に示す１２本の光ファイバ５２を備える間欠固定心線５２Ａに設けられた連結部１１５は、図８（Ａ）に示す４本の光ファイバ５２を備える間欠固定心線５２Ａに設けられた連結部１１５よりも疎に配置されている。
【００４２】
図９（Ａ）にも示すように、隣り合う光ファイバ５２同士のうち、連結部１１５で連結される隣り合う光ファイバ５２同士は、連結部１１５を間に挟んで配置されている。連結部１１５で連結される隣り合う光ファイバ５２同士以外の隣り合う光ファイバ５２同士の間には、隙間部１１６が形成されている。隣り合う光ファイバ５２同士の間における連結部１１５及び隙間部１１６の幅は略同一である。このため、隣り合う光ファイバ５２同士の幅は略一定である。光ファイバ５２は、樹脂層１１７で覆われている。
【００４３】
間欠固定心線５２Ａでは、隣り合う光ファイバ５２が、幅方向及び長手方向に対して階段状に配置された連結部１１５で連結されている。このため、間欠固定心線５２Ａは、長手方向途中位置から、その延在方向に対して直交する方向に引っ張られることで、図９（Ｂ）に示すように、網目状（蜘蛛の巣状）に広がる構成をなしている。
【００４４】
光ファイバユニット５１は、所定数の間欠固定心線５２Ａが結束材（バンドル部材）５３によって束ねられた光ファイバ５２の集合体によって構成されている。結束材５３は、光ファイバユニット５１毎に異なる色に着色されている。このため、光ファイバユニット５１は、結束材５３の色によって識別可能である。図７に示すように、光ファイバユニット束５１Ａは、吸水テープで形成されるラッピングチューブ５４によって包み込まれている。
【００４５】
光ファイバケーブル５０は、外皮（外被）５５及び抗張力体５６を備えている。外皮５５は、光ファイバユニット束５１Ａを包むラッピングチューブ５４を覆っており、光ファイバ５２の外周を被覆する。抗張力体５６は、外皮５５内の内側に隣接する位置に設けられている。抗張力体５６は、光ファイバケーブル５０の長手方向に沿って埋設されている。抗張力体５６は、光ファイバケーブル５０の断面で見て、上端に位置する１２時の位置及び下端に位置する６時の位置にそれぞれ埋設されている。
【００４６】
さらに、外皮５５における内側面に近接する位置には、引き裂き紐５７が設けられている。引き裂き紐５７は、光ファイバ５２の延在方向に沿って配設されている。引き裂き紐５７は、光ファイバケーブル５０の断面で見て、右側に位置する３時の位置及び左側に位置する９時の位置にそれぞれ配置されている。外皮５５における引き裂き紐５７が配置された位置の外側には、突条のマーカ突起５８が設けられている。マーカ突起５８は、引き裂き紐５７に沿って形成されており、引き裂き紐５７の埋設位置を案内している。なお、引き裂き紐５７やマーカ突起５８が設けられていないようにしてもよい。
【００４７】
第１ベース部材（分岐部材本体、第１部材）２０は、金属製の板材であり、導電性を有している。第１ベース部材２０は、図３に示すように、矩形の第１プレート（板材）２１を備えている。第１プレート２１の後端部における左側には第１左取付部（接合部）２２が設けられており、第１左取付部２２には、第１左ボルト孔２３が設けられている。また、第１プレート２１の後端部における右側には第１右取付部２４が設けられており、第１右取付部（接合部）２４には、第１右ボルト孔２５が設けられている。また、第１プレート２１の中央部には、貫通孔（本体固定部）２６が設けられている。
【００４８】
第２ベース部材（分岐部材本体、第２部材）３０は、金属製の板材であり、導電性を有している。第２ベース部材３０は、矩形の第２プレート（板材）３１を備えている。第２プレート３１の先端部には、前部にケーブル固定部３２が設けられている。第２プレート３１の後部にはチューブ固定部３３が設けられている。第２プレート３１におけるケーブル固定部３２とチューブ固定部３３との間には中央部３４が設けられている。中央部３４には、貫通孔３４Ａが形成されている。
【００４９】
また、中央部３４におけるチューブ固定部３３側端部における左側には、第２左取付部（接合部）３５が設けられており、第２左取付部３５には、第２左ボルト孔３６が設けられている。また、中央部３４におけるチューブ固定部３３側端部における右側には、第２右取付部（接合部）３７が設けられており、第２右取付部３７には、第２右ボルト孔３８が設けられている。中央部３４の上方には、分岐領域３９が形成されている。分岐領域３９では、光ファイバケーブル５０の端部から延出する複数組の光ファイバユニット５１にそれぞれ分岐される。
【００５０】
光ファイバケーブル５０の端部から延出する複数の光ファイバ５２を分岐することで得られる光ファイバ心線束は、１以上の光ファイバ心線からなるものであればよい。上記の例では、光ファイバ心線束は、光ファイバユニット５１であるが、光ファイバユニット５１を解いた１の間欠固定心線５２Ａまたは１の光ファイバ５２であってもよい。あるいは、光ファイバユニット５１を解いた複数の間欠固定心線５２Ａまたは光ファイバ５２であってもよい。あるいは、複数の光ファイバユニット５１から集められた複数の間欠固定心線５２Ａまたは光ファイバ５２であってもよい。
【００５１】
ケーブル固定部３２は、後方が狭幅部３２Ａ（バンド取付部）とされ、前方が広幅部３２Ｂとされている。狭幅部３２Ａの左右方向幅は、広幅部３２Ｂの左右方向の幅よりも狭くされている。また、広幅部３２Ｂの左右方向の幅は、第２プレート３１の左右方向の幅よりも狭くされている。ケーブル固定部３２の狭幅部３２Ａには、貫通孔３２Ｃが設けられている。
【００５２】
チューブ固定部３３は、板状部３３Ａを備えており、板状部３３Ａには、複数、ここでは８個の調整孔（取付孔）３３Ｂ１〜３３Ｂ４，３３Ｃ１〜３３Ｃ４が設けられている。調整孔３３Ｂ１〜３３Ｂ４，３３Ｃ１〜３３Ｃ４は、板状部３３Ａにおいて前後左右に並列状態で設けられている。
【００５３】
板状部３３Ａにおける前方部には、左側から４個の前側第１調整孔３３Ｂ１、前側第２調整孔３３Ｂ２、前側第３調整孔３３Ｂ３、前側第４調整孔３３Ｂ４が設けられている。板状部３３Ａにおける後方部には、左側から４個の後側第１調整孔３３Ｃ１、後側第２調整孔３３Ｃ２、後側第３調整孔３３Ｃ３、後側第４調整孔３３Ｃ４が設けられている。
【００５４】
中央部３４に設けられた貫通孔３４Ａは、大径部３４ＡＣと、左小径部３４ＡＬと、右小径部３４ＡＲと、を備えている。大径部３４ＡＣは、中央部３４の左右方向略中央部に配置されている。左小径部３４ＡＬは、大径部３４ＡＣの左側後方に配置されている。右小径部３４ＡＲは、大径部３４ＡＣの右側後方に配置されている。
大径部３４ＡＣは、左小径部３４ＡＬ及び右小径部３４ＡＲよりも大きな面積の開口である。左小径部３４ＡＬと右小径部３４ＡＲとは、ほぼ同形、同面積の開口である。
【００５５】
第２左取付部３５に設けられた第２左ボルト孔３６には、左ボルト３５ＢＬが貫通している。左ボルト３５ＢＬは、第１ベース部材２０の第１左取付部２２に設けられた第１左ボルト孔２３にねじ込まれている。第２右取付部３７に設けられた第２右ボルト孔３８には、右ボルト３７ＢＲが貫通している。右ボルト３７ＢＲは、第１ベース部材２０の第１右取付部２４に設けられた第１右ボルト孔２５にねじ込まれている。これらの左ボルト３５ＢＬ及び右ボルト３７ＢＲがそれぞれ第１左ボルト孔２３及び第１右ボルト孔２５にねじ込まれることにより、第１ベース部材２０と第２ベース部材３０とが接合される。
【００５６】
また、第１ベース部材２０における第２ベース部材３０の貫通孔３４Ａに相当する位置には、貫通孔２６が形成されている。この貫通孔には、締結ボルト（本体固定部）２６Ｂのねじ部が貫通している。締結ボルト２６Ｂのねじ部には、図２に示す締結ナット（本体固定部）２６Ｎが締め付けられている。
【００５７】
ケーブル固定部３２とチューブ固定部３３との間は、露出配置領域とされている。光ファイバユニット５１は、露出配置領域では、露出した状態とされていることがある。この実施形態では、光ファイバユニット５１は、露出配置領域において、分岐部保護部材９０に覆われて保護されている。
【００５８】
上記の光ファイバケーブル分岐構造１は、図１０に示すように、例えばクロージャ１００に取り付けられて利用される。クロージャ１００は、片側から光ファイバが導入、導出されるいわゆるポット型のクロージャである。クロージャ１００は、フレーム（被取付物、金属部材）１０１と、融着部収納トレー１０２と、クロージャスリーブ１０３と、端面板１０４と、を備えている。クロージャ１００においては、端面板１０４を介して光ファイバケーブル５０がクロージャスリーブ１０３の内側に導入される。クロージャスリーブ１０３は、一側が開口し、他側が閉塞しており、一側の開口部に端面板１０４が取り付けられて開口部が閉塞されている。また、融着部収納トレー１０２は、複数設けられており、複数の融着部収納トレー１０２は、バンド部材１０５によってまとめられている。
フレーム１０１は、端面板１０４の内側面及びクロージャスリーブ１０３の内側面にそれぞれ設けられている。フレーム１０１は、金属製であり、図示しないアース線を介して地面に電気に接地されている。フレーム１０１には、光ファイバケーブル分岐構造１が取り付けられている。クロージャスリーブ１０３内に導入された光ファイバケーブル５０は、光ファイバケーブル分岐構造１で光ファイバユニット（第２の光ファイバ心線束）５１に分岐される。分岐された光ファイバユニット５１は、保護チューブ６０が被せられたまま融着部収納トレー１０２に導入されている。
【００５９】
第１ベース部材２０における第２ベース部材３０と対向する面の反対側の面には、クロージャ１００のフレーム１０１が配置されている。フレーム１０１には、締結ボルト２６Ｂのねじ部が貫通する貫通孔が形成されている。第１ベース部材２０とフレーム１０１とを重ね合わせて第１ベース部材２０及びフレーム１０１の貫通孔に締結ボルト２６Ｂのねじ部が挿入されそのねじ部に締結ナット２６Ｎが締め付けられている。こうして、締結ボルト２６Ｂの頭部と締結ナット２６Ｎによって、第１ベース部材２０とフレーム１０１とが挟み込まれて、第１ベース部材２０がフレーム１０１に固定される。
【００６０】
ケーブル保持環４０は、締付部４１と、ねじ設置部４２と、ねじ部４３と、を備えている。締付部４１は、金属製の円環である。締付部４１には、複数の孔部４１Ａが設けられている。複数の孔部４１Ａは、周方向に略等間隔をおいて配置されている。ねじ設置部４２は、函体であり、締付部４１の一端が固定されている。
【００６１】
ねじ設置部４２には、ねじ部４３が設置されている。ねじ部４３は、作業員等が操作することによって回転させることができる。ねじ部４３は、ねじ設置部４２に設けられた図示しない歯車に接続されている。歯車の歯は、締付部４１に設けられた複数の孔部４１Ａに入り込んでいる。ねじ設置部４２をたとえば時計回りに回転させると、歯車が入り込む孔部４１Ａが一方向に移動し、締付部４１が締め付けられて縮径する。ねじ設置部４２を反時計回り（時計回りと逆方向）に回転させると、歯車が入り込む孔部４１Ａが逆方向の移動し、締付部４１が緩められて拡径する。
【００６２】
締付部４１は、光ファイバケーブル５０とケーブル固定部３２の狭幅部３２Ａとを包んで締付可能とされている。光ファイバケーブル５０は、縮径された締付部４１によってケーブル固定部３２の狭幅部３２Ａと共締めされてケーブル固定部３２に固定される。ケーブル固定部３２は、ケーブル保持環４０とともに光ファイバケーブル５０の外皮５５の端部を第２ベース部材３０に対して把持固定している。
【００６３】
ケーブル固定部３２の前方に設けられた広幅部３２Ｂは、狭幅部３２Ａよりも広い。このため、広幅部３２Ｂは、締付部４１の前方への抜け落ちによる光ファイバケーブル５０の脱落を抑制している。また、ケーブル固定部３２の後方に設けられた第２プレート３１は、狭幅部３２Ａよりも幅広である。このため、第２プレート３１は、締付部４１の後方への抜け落ちによる光ファイバケーブル５０の脱落を抑制している。
【００６４】
留金７０は、金属製の部材であり、第２ベース部材３０のケーブル固定部３２に固定されている。留金７０は、板状部７１と、鬼目７２と、固定ピン７３と、を備えている。板状部７１は、第２ベース部材３０におけるケーブル固定部３２の狭幅部３２Ａ上に取り付けられている。板状部７１の上面には、ケーブル長手方向を軸とした弧を描くくぼみが設けられている。このくぼみの径は、光ファイバケーブル５０の径と略同一とされている。光ファイバケーブル５０は、板状部７１の上面におけるくぼみに沿って配置される。
鬼目７２は、板状部７１の上面に設けられている。鬼目７２は、上方に向けて突出する突起部である。鬼目７２は先鋭状をなしており、光ファイバケーブル５０の外皮５５に食い込むようにされている。鬼目７２の長さは、光ファイバケーブル５０の外皮５５の厚さよりも短くされている。
固定ピン７３は、板状部７１の下面に設けられている。固定ピン７３は、ケーブル固定部３２の狭幅部３２Ａに設けられた貫通孔３２Ｃに貫通可能とされている。固定ピン７３は、狭幅部３２Ａの上方から貫通孔３２Ｃに挿通され、狭幅部３２Ａの下面側で折り返されている。固定ピン７３が折り返されることにより、板状部７１がケーブル固定部３２の狭幅部３２Ａに固定されている。
【００６５】
ケーブル保持環４０に保持された光ファイバケーブル５０の外皮５５の端部からは、抗張力体５６が延出している。抗張力体５６は、図４に示すように、第２プレート３１の中央部３４に形成された貫通孔３４Ａの左小径部３４ＡＬ及び右小径部３４ＡＲを介して第１プレート２１と第２プレート３１との間に案内されている。第１プレート２１と第２プレート３１とは、第１ボルトＢ１及び第２ボルトＢ２がそれぞれ第１左ボルト孔２３及び第１右ボルト孔２５にねじ込まれて接合されている。こうして、第１プレート２１と第２プレート３１とは、抗張力体５６を挟み込んで保持している。抗張力体５６は、第１プレート２１と第２プレート３１とによって挟持されて固定されている。
【００６６】
図５に示すように、外皮５５に埋設された２本の抗張力体５６は、第２プレート３１からの距離が略同一とされている。言い換えると、２本の抗張力体５６を光ファイバ５２の長手方向に直交する切断面で切った際の抗張力体５６同士を繋いだ線分は、第２プレート３１の上面に沿った線（水平線）と略平行となっている。
【００６７】
結束バンド８０は、樹脂製の部材である。結束バンド８０は、バンド部８１と、留部８２とを備えている。バンド部８１は、紐状部材をなしており、その断面の大きさは、第２ベース部材３０に設けられたチューブ固定部３３の調整孔３３Ｂ１〜３３Ｂ４，３３Ｃ１〜３３Ｃ４を挿通可能となる太さとされている。
【００６８】
留部８２は、バンド部８１の長さ方向途中位置に配置されている。留部８２には、バンド部８１が挿通されており、留部８２によってバンド部８１を留める位置により、バンド部８１を締め付けたり緩めたりすることができる。結束バンド８０は、調整孔３３Ｂ１〜３３Ｂ４，３３Ｃ１〜３３Ｃ４のいずれかに挿通されて、留部８２によってその大きさが調整されることによって、複数本の保護チューブ６０を結束している。こうして、チューブ固定部３３と結束バンド８０とは、複数の保護チューブ６０を第２ベース部材３０に固定している。
【００６９】
第２ベース部材３０には、６本の保護チューブ６０が固定されている。これらの６本の保護チューブ６０は、３本ずつ１本の結束バンド８０によって結束されている。このうちの３本の保護チューブ６０は、第１結束バンド８０Ａによって結束され、他の３本の保護チューブは、第２結束バンド８０Ｂによって結束されている。
第１結束バンド８０Ａは、前側の中央より左側に配置された前側第１調整孔３３Ｂ１及び前側第２調整孔３３Ｂ２に挿通されている。第２結束バンド８０Ｂは、後側中央より右側に配置された後側第３調整孔３３Ｃ３及び後側第４調整孔３３Ｃ４に挿通されている。第１結束バンド８０Ａに結束された３本の保護チューブ６０は、第２ベース部材３０の中央よりも左側に寄せられた位置で結束されている。第２結束バンド８０Ｂに結束された３本の保護チューブ６０は、第２ベース部材３０の中央よりも右側に寄せられた位置で結束されている。第１結束バンド８０Ａで結束された保護チューブ６０と、第２結束バンド８０Ｂで結束された保護チューブ６０とは、左右に振り分けられて配置されている。
【００７０】
保護チューブ６０は、例えば樹脂で形成された柔軟性を有する部材である。保護チューブ６０は、種々の色白の材料で構成されており、１つの光ファイバケーブル分岐部材１０には、異なる色の保護チューブ６０が用いられる。なお、保護チューブ６０は、透明または半透明の材料で構成されていてもよい。保護チューブ６０は、分岐領域３９で分岐された複数の光ファイバユニット５１にそれぞれ被せられる。複数の光ファイバユニット５１にそれぞれ被せられる保護チューブ６０の色は、いずれも異なっている。このため、光ファイバユニット５１を区別しやすくすることができる。
【００７１】
分岐部保護部材９０は、例えば樹脂で形成された柔軟性及び延伸性を有する部材であり、透明または半透明の材料で構成されている。ただし、黒色や白色などの他の色であってもよい。分岐部保護部材９０は、前方半円筒部９１と、後方円筒部９２と、を備えている。前方半円筒部９１と後方円筒部９２とは、同径であり、後方円筒部９２の直径は、第２ベース部材３０における第２プレート３１の幅方向の長さよりも短くされている。
【００７２】
図６に示すように、分岐部保護部材９０は、後方円筒部９２がチューブ固定部３３の全周を覆って第２ベース部材３０に取り付けられる。分岐部保護部材９０の後方円筒部９２は延伸してチューブ固定部３３を覆っている。このとき、分岐部保護部材９０の前方半円筒部９１は、第２プレート３１における分岐領域３９を覆っている。分岐部保護部材９０は、分岐領域３９では、光ファイバケーブル５０の端部から延出する光ファイバ５２を上方から覆って保護している。
【００７３】
分岐部保護部材９０先端部及び後端部には、いずれもビニールテープ９５が巻き付けられている。分岐部保護部材９０の先端部は、ビニールテープが巻き付けられることで、分岐部保護部材９０からの光ファイバ５２の露出を抑制している。分岐部保護部材９０の後端部は、ビニールテープ９５が巻き付けられることにより、半径方向内側に圧縮されて保護チューブ６０を締め付けている。
【００７４】
図１０に示すように、クロージャスリーブ１０３の内側に配置された光ファイバケーブル分岐構造１では、分岐部保護部材９０が設けられて分岐領域３９を保護している。なお、クロージャスリーブ１０３の内側に光ファイバケーブル分岐構造１が配置される際には、分岐部保護部材９０を設けないようにしてもよい。
【００７５】
上記の光ファイバケーブル分岐構造１においては、光ファイバケーブル５０の抗張力体５６は、外皮５５の内側に設けられている。このため、外皮５５を剥がすことにより、抗張力体５６が露出して固定されないことが想定される。この点、上記の光ファイバケーブル分岐構造１では、抗張力体５６を保持する第１プレート２１と第２プレート３１とを備えている。このため、第１プレート２１と第２プレート３１によって抗張力体５６を挟み込んで保持することにより、第１ベース部材２０及び第２ベース部材３０に抗張力体を固定することができる。したがって、抗張力体５６が外皮５５に設けられた光ファイバケーブル５０における固定した際に、抗張力体を安定させる固定した際に、抗張力体５６を安定させることができる。
【００７６】
また、第１プレート２１と第２プレート３１とによって抗張力体５６を保持している。このため、抗張力体を容易に固定することができる。また、抗張力体５６を固定するために別途の部材を要することがないため、部品点数の増加を抑制できる。
【００７７】
また、第１プレート２１は、金属製であり、第１プレート２１は、クロージャ１００のフレーム１０１に接触し、電気的に接続されている。抗張力体５６は、第１プレート２１と第２プレート３１とに保持されることにより、第１プレート２１に接触している。また、クロージャ１００のフレーム１０１は、図示しない接地線に電気的に接続された導電体である。
このため、第１プレート２１及びクロージャ１００のフレーム１０１を介して抗張力体５６を電気的に接地させることができる。なお、上記の光ファイバケーブル分岐構造１では、クロージャ１００のフレーム１０１に第１プレート２１が取り付けられているが、フレーム１０１以外の他の導電体に取り付けられていてもよい。
【００７８】
また、第１ベース部材２０は、導電体である第１プレート２１を備えており、抗張力体５６は、第１プレート２１を介してクロージャ１００のフレーム１０１に電気的に接続されている。このため、第１ベース部材２０第１プレート２１に抗張力体５６を電気的に接続されるだけで抗張力体５６を接地することができるので、抗張力体を容易に接地させることができる。
【００７９】
また、第２ベース部材３０における第２プレート３１の中央部３４には、貫通孔３４Ａが形成されている。このため、抗張力体５６を第２プレート３１の上方から第２プレート３１と第１プレート２１との間に容易に案内することができる。
また、貫通孔３４Ａは、左小径部３４ＡＬと右小径部３４ＡＲとが設けられている。左小径部３４ＡＬと右小径部３４ＡＲのそれぞれに抗張力体５６を案内することにより、光ファイバユニット５１などと接触しにくい位置に抗張力体を案内することができる。
【００８０】
また、図８（Ｂ）に示す１２本の光ファイバ５２を備える間欠固定心線５２Ａに設けられた連結部１１５は、図８（Ａ）に示す４本の光ファイバ５２を備える間欠固定心線５２Ａに設けられた連結部１１５よりも疎に配置されている。このため、幅方向に見て、連結部１１５が光ファイバ５２を横切る回数が少なくなる。したがって、間欠固定心線５２Ａをより柔軟にすることができるので、間欠固定心線５２Ａを光ファイバ５２に解いたときに心線のロスを少なくすることができる。
【００８１】
また、図５に示すように、光ファイバケーブル５０の外皮５５に埋設された２本の抗張力体５６は、第２プレート３１からの距離が略同一とされている。このため、第２プレート３１の上面に対して垂直となる方向（ケーブル長手方向に直交する水平線周りに回転する方向）に光ファイバケーブル５０を曲げやすくすることができる。
【００８２】
また、抗張力体５６は、外皮５５に埋設されているので、抗張力体５６の配置を気にすることなく光ファイバケーブル５０を光ファイバケーブル分岐部材１０に固定することができる。したがって、光ファイバケーブル５０の光ファイバケーブル分岐部材１０に固定する際の作業性を高めることができ、作業負荷の軽減や作業時間の短縮に寄与することができる。
【００８３】
以下、光ファイバケーブル分岐構造１をクロージャ１００に取り付ける際の取付手順について説明する。なお、作業員が取り付け作業を行うものとして説明を行う。
【００８４】
図１０に示すように、フレーム１０１には、複数の貫通孔１０１Ａが設けられている。図１０に示すフレーム１０１における光ファイバケーブル分岐構造１が取り付けられた位置にも図示しない貫通孔が設けられている。光ファイバケーブル分岐構造１は、この貫通孔に締結ボルト２６Ｂ（図２参照）のねじ部が貫通され、フレーム１０１に取り付けられている。
【００８５】
光ファイバケーブル分岐構造１がクロージャ１００のフレーム１０１に取り付けられる前は、第１プレート２１と第２プレート３１とは分離されている。作業員は、フレーム１０１に対してまず、第１プレート２１を取り付ける。作業員は、第１プレート２１とフレーム１０１とのそれぞれに設けられた貫通孔が同軸状になるように第１プレート２１とフレーム１０１とを配置する。作業員は、第１プレート２１とフレーム１０１との貫通孔に第１プレート２１側から締結ボルト２６Ｂのねじ部を挿入する。
続いて、作業員は、フレーム１０１側から締結ボルト２６Ｂのねじ部に締結ナット２６Ｎを締め付ける。こうして、作業員は、フレーム１０１に対して、第１プレート２１を固定する。
【００８６】
作業員は、フレーム１０１に第１プレート２１を取り付けている間に、またはフレーム１０１に第１プレート２１を取り付けた後に、光ファイバケーブル５０を第２プレート３１に固定する。作業員は、光ファイバケーブル５０を第２プレート３１に固定する前に、光ファイバケーブル５０にケーブル保持環４０の締付部４１を通しておく。また、作業員は、光ファイバケーブル５０の端部から光ファイバ５２を延出させて、保護チューブ６０を通しておく。
それから、作業員は、第２プレート３１のケーブル固定部３２に光ファイバケーブル５０を載置する。このとき、作業員は、ケーブル固定部３２に固定された留金７０の鬼目７２に光ファイバケーブル５０の外皮５５を軽く食い込ませる。
【００８７】
続いて、作業員は、ケーブル保持環４０に光ファイバケーブル５０及びケーブル固定部３２の狭幅部３２Ａを通し、ケーブル保持環４０の締付部４１を締め付けて縮径させる。こうして、作業員は、ケーブル保持環４０の締付部４１によって光ファイバケーブル５０とケーブル固定部３２の狭幅部３２Ａとを共締めする。
このとき、留金７０の鬼目７２が光ファイバケーブル５０の外皮５５に食い込む。このため、光ファイバケーブル５０は、ケーブル固定部３２に強固に固定される。その後、作業員は、第２ベース部材３０に分岐部保護部材９０を取り付ける。こうして、保護チューブ６０及び第２ベース部材３０の分岐領域３９における光ファイバ５２を保護する。分岐領域３９は、保護チューブ６０で保護される光ファイバユニット５１の配置位置である。
【００８８】
その後、作業員は、調整孔３３Ｂ１〜３３Ｂ４，３３Ｃ１〜３３Ｃ４に挿通された結束バンド８０によって保護チューブ６０を結束する。作業員は、続いて、第１プレート２１と第２プレート３１を接合させる。第１プレート２１と第２プレート３１とを接合させるにあたり、左ボルト３５ＢＬ及び右ボルト３７ＢＲを締め付ける。
左ボルト３５ＢＬ及び右ボルト３７ＢＲは、分岐領域３９を避けた位置で締め付けられる。このため、光ファイバ５２が分岐された状態であっても、左ボルト３５ＢＬ及び右ボルト３７ＢＲの締付作業の邪魔とならないようにすることができる。こうして、光ファイバケーブル分岐構造１の取り付け作業が終了する。
【００８９】
上記の光ファイバケーブル分岐構造１をクロージャ１００に固定するにあたり、光ファイバケーブル分岐部材１０には、光ファイバケーブル分岐部材１０の第１ベース部材２０及び第２ベース部材３０をクロージャに固定する固定部材としての貫通孔２６、締結ボルト２６Ｂ、及び締結ナット２６Ｎが設けられている。このため、光ファイバケーブル分岐部材１０の第１ベース部材２０及びクロージャ１００のフレーム１０１を挟んだ状態で締結ボルト２６Ｂを貫通孔２６に貫通させ、締結ナット２６Ｎに締め付けるのみで、光ファイバケーブル分岐部材１０をフレーム１０１に固定することができる。よって、クロージャ１００のフレーム１０１に光ファイバケーブル分岐部材１０を容易に固定することができる。
【００９０】
また、上記の光ファイバケーブル分岐構造１において、また、第１プレート２１と第２プレート３１とは、第１プレート２１の第１左取付部２２と第２プレート３１の第２左取付部３５が第１ボルトＢ１で固定されて接合される。同様に第１プレート２１と第２プレート３１とは、第１プレート２１の第１左取付部２２と第２プレート３１の第２左取付部３５が第１ボルトＢ１で固定されて接合される。
これらの第１左取付部２２、第２左取付部３５、第１右取付部２４、第２左取付部３５は、中央部３４の右側または左側に配置されている。要は、第１左取付部２２、第２左取付部３５、第１右取付部２４、第２左取付部３５は、いずれも保護チューブ６０で保護される光ファイバユニット５１を避けた位置に配置されている。このため、光ファイバケーブル５０から延出した光ファイバユニット５１を保護する保護チューブ６０を覆い、光ファイバケーブル５０及び保護チューブ６０を固定した状態でも、第１ベース部材２０と第２ベース部材３０とを容易に接合することができる。
【００９１】
また、上記第２ベース部材３０は、チューブ固定部３３を備えている。このため、保護チューブ６０を第２ベース部材３０に容易に固定することができる。また、チューブ固定部３３は、結束バンド８０を挿通可能な調整孔３３Ｂ１〜３３Ｂ４，３３Ｃ１〜３３Ｃ４を備えている。このため、結束バンド８０をチューブ固定部３３に容易に取り付けることができるので、複数の保護チューブ６０を結束する結束バンド８０を第２ベース部材３０に容易に取り付けることができる。その結果、保護チューブ６０を容易に固定することができる。
また、上記の光ファイバケーブル分岐構造１は、取付孔として複数の調整孔３３Ｂ１〜３３Ｂ４，３３Ｃ１〜３３Ｃ４を備えている。このため、結束バンド８０が挿通される調整孔を結束バンド８０で結束される保護チューブ６０の本数に応じて決定できる。したがって、保護チューブ６０の本数が少ない場合でも結束バンド８０によって安定した状態で結束することができる。
【００９２】
また、上記の光ファイバケーブル分岐構造１のケーブル固定部３２は、狭幅部３２Ａを備えている。狭幅部３２Ａが設けられていることにより、ケーブル固定部３２にケーブル保持環４０を容易に取り付けることができる。したがって、ケーブル固定部３２に光ファイバケーブル５０を容易に固定することができる。
【００９３】
なお、本発明は上記の一実施形態に限られるものではなく、その要旨を逸脱しない範囲で種々の設計変更が可能である。例えば、第２ベース部材３０に設けられるケーブル固定部３２やチューブ固定部３３を他の態様としてもよい。以下、チューブ固定部の変形例について図１１を参照して説明する。なお、変形例において、上記の実施形態と比較して、機能や用途が共通する部材等については、上記の実施形態と同一の番号を付してその説明を省略することがある。
【００９４】
図１１に示すように、変形例に係るチューブ固定部１１０は、隔壁（振分部）１１１を備えている。隔壁１１１は、板状をなしており、上下方向に伸びるように配置されている。隔壁１１１は、第２ベース部材３０の第２プレート３１の後端部に設けられている。隔壁１１１は、第２プレート３１の幅方向略中央位置に配置されている。隔壁１１１は、複数の保護チューブ６０を左右に振り分けている。
隔壁１１１の上面には、複数の仕切溝１１２が設けられている。仕切溝１１２は、隔壁１１１の延在方向（前後方向）に略等間隔で離間して配置されている。仕切溝１１２の前後方向の幅は、結束バンド８０のバンド部８１の幅よりわずかに広い幅とされている。
【００９５】
変形例に係るチューブ固定部１１０では、複数の保護チューブ６０を結束する結束バンド８０を引っかけることにより、結束バンド８０を容易に固定することができる。また、複数の保護チューブ６０を容易に結束することができる。また、チューブ固定部１１０の隔壁１１１には、仕切溝１１２が設けられている。この仕切溝１１２に結束バンド８０のバンド部８１を引っかけることができるので、結束バンド８０をより容易に固定することができる。
また、仕切溝１１２が複数設けられていることにより、複数の結束バンド８０を容易に固定することができる。このため、隔壁１１１の左右に複数の保護チューブ６０を振り分けて配置したときに、左右のそれぞれの保護チューブ６０を容易に結束することができる。また、隔壁１１１が設けられているので、複数の保護チューブ６０を振り分けて結束することができる。また、隔壁１１１が左右方向の略中央部に設けられているので、保護チューブ６０をバランスよく振り分けることができる。
【００９６】
次に、ケーブル固定部及びケーブル保持環４０の変形例について説明する。図１２に示すように、変形例に係るケーブル固定部１２０は、第２ベース部材３０における第２プレート３１の中央部３４と同じ幅の延在部１２１を備えている。延在部１２１には、把持部材１２２がねじ１２３によって取り付けられる。このため、延在部１２１には、ねじ１２３がねじ込まれる図示しないねじ穴が形成されている。
【００９７】
把持部材１２２は、把持部材本体１２２Ａを備えている。把持部材本体１２２Ａは、光ファイバケーブル５０と略同径のアーチ状をなす断面半円形の金属半環である。把持部材本体１２２Ａの両側方には、板状の締付部１２２Ｂがそれぞれ形成されている。
【００９８】
締付部１２２Ｂには、図示しない貫通孔が設けられており、貫通孔を貫通するねじ１２３が延在部１２１に設けられたねじ穴にねじ込まれることで、把持部材本体１２２Ａが延在部１２１に固定される。把持部材本体１２２Ａには、鬼目１２２Ｃが設けられている。把持部材本体１２２Ａが延在部１２１に固定されると、鬼目１２２Ｃが光ファイバケーブル５０の外皮５５に食い込み、光ファイバケーブル５０が固定される。
【００９９】
変形例に係るケーブル固定部及び把持部材１２２によって光ファイバケーブル５０を把持することにより、光ファイバケーブル５０を第２ベース部材３０に固定することができる。また、把持部材本体１２２Ａは、ねじ１２３をねじ込むことで、第２プレート３１の延在部１２１に固定することができるので、把持部材本体１２２Ａを容易に固定することができる。また、把持部材本体１２２Ａには、鬼目１２２Ｃが設けられており、固定された光ファイバケーブル５０の外皮５５に鬼目１２２Ｃが食い込んでいる。このため、光ファイバケーブル５０を強固に固定することができる。
【０１００】
また、上記の光ファイバケーブル分岐構造１では、第１プレート２１と第２プレート３１とによって抗張力体５６を保持している。これに対して、他の態様で抗張力体５６を挟持してもよい。例えば、第１プレート２１とクロージャ１００のフレーム１０１との間まで抗張力体５６を導入して、第１プレート２１とクロージャ１００のフレーム１０１によって抗張力体５６を挟持してもよい。
また、第１プレート２１とクロージャ１００のフレーム１０１とで抗張力体を挟持する場合、第２プレートを設けることなく第１プレートにケーブル固定部及びチューブ固定部を設けてもよい。
被取付物は、クロージャ１００のフレーム１０１以外の部材であってもよい。例えば、光ファイバケーブル分岐構造１をクロージャ１００でなくキャビネットに設ける場合には、キャビネットのフレームを被取付物としてもよく、光ファイバケーブル分岐構造１を取り付けるための取付板などを設ける場合には、この取付板を被取付物としてもよい。また、被取付物としてもクロージャは、片側から光ファイバが導入、導出されるポット型のものではなく、クロージャスリーブの両側の端面板に光ファイバケーブル導入孔を備えて、光ファイバケーブルの配線方向に添うように、光ファイバケーブルが両端から内部に導入される構造のクロージャでもよい。
また、被取付物は、金属などの導電体であることにより、抗張力体を電気的に接地させられるため好適である。ただし、被取付物は、樹脂などの非導電体であってもよい。また、ベース部材は、導電体でなくともよい。この場合に、抗張力体５６を保持する保持部材をベース部材に設け、保持部材を導電体で構成してもよい。また、抗張力体５６と導電体からなる被取付物が絶縁状態となっている場合には、抗張力体５６と被取付物を電気的に接続する導電性の接続部材を別途設けてもよい。
【符号の説明】
【０１０１】
１…光ファイバケーブル分岐構造、１０…光ファイバケーブル分岐部材、２０…第１ベース部材、２１…第１プレート（板材）、３０…第２ベース部材、３１…第２プレート（板材）、３２，１２０…ケーブル固定部、３２Ａ…狭幅部（バンド取付部）、３２Ｂ…広幅部、３３，１１０…チューブ固定部、３３Ｂ１〜３３Ｂ４，３３Ｃ１〜３３Ｃ４…調整孔（取付孔）、３４Ａ…貫通孔、３４ＡＣ…大径部、３４ＡＬ…左小径部、３４ＡＲ…右小径部、３５…第２左取付部、３９…分岐領域、４０…ケーブル保持環（締付バンド）、５０…光ファイバケーブル、５１…光ファイバユニット、５２…光ファイバ、５６…抗張力体、６０…保護チューブ、７０…留金、８０…結束バンド、８１…バンド部、８２…留部、９０…分岐部保護部材（保護部材）、１００…クロージャ、１０１…フレーム（被取付物、金属部材）
【図１】
0006412898.tif 000002
【図２】
0006412898.tif 000003
【図３】
0006412898.tif 000004
【図４】
0006412898.tif 000005
【図５】
0006412898.tif 000006
【図６】
0006412898.tif 000007
【図７】
0006412898.tif 000008
【図８】
0006412898.tif 000009
【図９】
0006412898.tif 000010
【図１０】
0006412898.tif 000011
【図１１】
0006412898.tif 000012
【図１２】
0006412898.tif 000013